(57)【要約】      （修正有）【課題】放射能を有する放射能物質が混入された水（Ｈ２Ｏ）がγ線（放射線）を発生する放射性水溶液に形成され前記放射性水溶液をアモルファス（非晶質固体）の絶縁体内部に内在させて前記放射能のエネルギーに依って長期間に及んで無燃料で電流を流す事が可能な人工の構造物体を提供する。【解決手段】一例としてのナノテクノロジイに依って微細粒子群に施工されたプルトニウム２３９、を溶質とし、さらに水（Ｈ２Ｏ）を溶媒とした放射能を帯びた混合水溶液を前記アモルファスの絶縁体、の内部に内在させ前記放射能を帯びた混合水溶液からγ線１０（矢印１０）が発生する事で前記絶縁体内部において内部光電効果９を起こさせ、さらに絶縁破壊現象９を出現させ、さらに光起電力効果９に依って電流を流す。前記放射性の混合水溶液はα線崩壊核種からγ線崩壊核種へと変移した為に発電機内の新しい発電源である本考案は長期間に及んで無燃料で電流を流す事ができる。【選択図】図７
0003202929.tif 000002
【実用新案登録請求の範囲】
【請求項１】
水素原子核を含有する液体を溶媒として用い、前記溶媒に対応する溶質として放射性物質を用い、前記溶媒と前記溶質とを混合して形成された放射能を有する放射性の混合溶液をアモルファス（非晶質固体）の絶縁体の内部に内在させた、無燃料で電流を流す事ができる人工の物体。
【考案の詳細な説明】
【技術分野】
【０００１】    本考案は実願２０１３−００７４２８である「核分裂性核種等の放射性物質と水素原子核を含有する液体とを混合した混合溶液を原材料として用いる事を特徴としたγ線製造器。」という名称の考案中に記載されている原理を基礎にして考え、さらに利用した、一般に発電機と呼称されている機械の内の新しい機構の電源部分であり産業上利用するための実用化を具現する意図の人工の機構の構造の物体であり、それは固体のアモルファス（非晶質体）の絶縁体に放射線であるγ線（ガンマ線）を照射して発生する「内部光電効果」現象、後に発現する「絶縁破壊」現象、及びその直後の顕著なる「光起電力効果」現象に依って長期間に及んで豊富に電流を流す事が可能な人工の構造の物体である。
【背景技術】
【０００２】    宇宙創生時（宇宙に始まりが有るのか、又は無限数、年前から永遠の未来に向かって存続して行く物かは知りませんけれど）以来からの夥しい時間の経過後、の今日、現在に至る迄の間、宇宙空間内に存在する全ての物質の中では放射能を発生していない公知の水素原子核だけに限っては他の前記物質とは異なる特殊性が有る。通常、一般に前記物質とは陽子の数と中性子の数とがほぼ等しく、しかも前記物質の原子量は様々な種類の前記物質群、相互に様々な相違があっても原子核内の陽子の質量と中性子の質量との数の割合、比率は１対１で釣り合っていて（クーロン力−電磁力）の約１００倍という、地球の万有引力に比喩される中間子の核力と呼称されている結合力でしっかりと相互に結合し合って均衡は保たれていて放射能は発生していない。なお明細書中においては前記全ての物質の原子核における前記中間子は全て同一の物体であると仮定している。
しかし水素原子核だけは原子量１，００８で原子番号１と言う、つまり陽子の数が１個で中性子の数が０，００８個である。つまり陽子１個の質量が中性子１個の質量の約１００倍であると推定できるのでその様に仮定します。通常、陽子１個と中性子１個とは相方相互に質量がほぼ同一とされている。
ちなみに資料に依ると公知の素粒子達の質量をそれぞれ相互に比較すると次の通りである。
ａ  陽子の質量は電子の質量の１８３６倍、つまり約２０００倍と推定できるので、そ      う仮定します。
ｂ  中間子の質量は電子の質量の約２００倍である、つまり陽子の質量は中間子の約１      ０倍であると推定できるので、そう仮定します。
ｃ  前述の様に水素原子核中の陽子の質量は中性子の質量の約１００倍と推定できるの      で、そう仮定します。
繰り返しますがこの事は前記他の物質の原子核中には見られない、存在しない水素      原子核だけに限った特殊な事実である。
水素原子核を構成している素粒子達、それぞれのおおよその質量の相違をまず始めに幾何学上の立方体の概念を適用して比喩し前記素粒子達それぞれの質量の違いをその体積という概念に置き換えて比較すると次の通りである。
イ  陽子−約１００ｃｍ３（一辺が約４．６ｃｍの立方体。）
ロ  中間子−約１０ｃｍ３（一辺が約２．１ｃｍの立方体。）
ハ  中性子−１ｃｍ３（一辺が１ｃｍの立方体。）
図面（６）の図１０は上述の立方体の概念をさらに幾何学上の球体の概念に置き換えて陽子及び中間子及び中性子のそれぞれ相互の質量の、おおよその大きさの比較のための比率の相違を目視的に簡略化した図示。
３次元の立体空間である宇宙空間内に存在している内の例えば素粒子である陽子１個及び中間子１個及び中性子１個及び電子１個達はそれぞれ個別に質量を有している、のだから当然体積という概念を有している物体である。前記物体はその物体という名称の性質から考慮すれば前記３次元空間内の一部分を満たしており、だから当然、立体的な形、を成していると考えられる。では前記形の形状はどの様な形態なのか、と言えば幾何学上における球体を想像できる、なぜならば前記宇宙創生時、以来からの夥しい時間の経過後の今日、現在、現実に存在している物体であるので、それ迄のありとあらゆる力、例えば高熱の力や極低温や巨大な物理的な力等々、の多種多様な要素が関係して形成された絶対的に不変な物であるので例えば正四面体とか立方体とか直方体とか円柱形とか錐形とか他の多面体とか不定形等々の球体以外の他の形状物体とは当然考えられないのです。前記大量の高熱や静止摩擦力やころがり摩擦力等々に依って宇宙的な超長時間、長期間に及んで磨耗されているでしようから。
前述の考え方から察すれば前記素粒子群は種々それぞれ個々、個別に質量の相違は有るものの、それらは全てが幾何学上における球体であると推定できるので、そう仮定します。
繰り返すようですが宇宙空間内に存在するほとんど全ての物質の原子核は陽子の数量と中性子の数量とがほぼ等しく、無理の無い結合形態と中間子の核力と言う強固な結合力で安定して存在しているが水素原子核においてのみ他の物質の原子核の組成には見られない図面（６）の図１０に図示した様な水素原子核だけの素粒子の配列の順番に特徴が見られる結合形態に成る筈です。前記素粒子相互間の位置形態に多様性は有っても図示はしていませんが陽子の隣に中性子が結合し前記中性子の隣に中間子が結合する様な素粒子相互間の結合形態を形成する事実はあり得無いということです。これは中間子の核力という結合力は複数の素粒子同士間の距離が僅かでも離れると前記核力という吸引力が急に著しく減衰すると言う物理現象が原因しているからです。つまり水素原子核を構成している素粒子達の配列形態だけに限っては図面（６）の図１０の形態以外には考えられないと言う事です。
そこで、水素原子核に電荷を有し無い他の別個の、陽子と同一の質量だとした中性子が１個だけ単独でブラウン運動と共に連動して自由に曲進運動をしながら低速度で接近して来て図面（６）の図９から図面（７）の図１１の様に前記水素原子核内の中間子、図面（７）の図１１の矢印１３の中性子が矢印１５の中間子に直接、衝突（接触）した時点（時間上の点。）において前記水素原子核中の中間子と前記中性子との相方が共に相対的に運動速度が０に成り中性子の「捕獲断面積の１／ν法則」が適用されること、と中間子の核力が前記中間子以外の素粒子が前記中間子に最も接近して来た時にのみ、電気的な力に関係無くクーロン力（電磁力）の約１００倍の吸引力を発揮できる。と言う２つの物理法則が相方相互に作用し合い相乗効果をもたらす事、それに加えて図面（６）の図１０に図示した様な素粒子達の配列形態を観察すると中間子の球体の外壁部分である球面の曲面が空間に露出しているので前記水素原子核中の中間子がもう１個（２個でも良い。）分ぐらいなら無理無く余分に人工的に他の別の中性子を吸収（捕獲）が可能と成り、〈図面（７）の図１１の矢印１３の中性子１個と矢印１５の中間子１個との相方相互の捕獲現象の図示。〉前記結合形態の特徴が有利に働きます。ちなみに前記（捕獲現象）は地球が万有引力に依って隕石を吸収すると言う自然現象と酷似しています。前記自然現象は電気的な力とは関係有りません。
水素原子核中の中間子に前記水素原子核以外の別個の単独で自由な中性子１個が接近して来て前記水素原子核中の中間子と接触し吸収され、物理現象である（捕獲現象）が出現したと仮定すれば、前記（捕獲現象）は前記水素原子核に別個の中間子１個分だけ人工的に質量が増大した事で量子の世界での単位の水準において前記人工的に、そして自然破壊的に前記水素原子核は不安定に成り放射線であるγ線（ガンマ線）を放射又は放出して元の自然だった過去の水素原子核の構成形態である安定状態に戻ろうとする、しかしγ線（ガンマ線）はどんなに長時間大量に放射放出しても前記水素原子核中の陽子及び中間子及び中性子の質量の減少は無い前記質量の減少の数値は０である。この放射能という物理現象でγ線（ガンマ線）は質量が０であり電荷も０であり例えば（光電効果）の様な人工的な物理現象である特殊で不自然な現象を発現させる事はできるが物体と言う概念とは認識されない。けれども実体では有ると言う他の放射線とは異質の存在で有り、元々、プルトニウム２３９はα線崩壊核種であったのが本考案においては、それがγ線崩壊核種に変移したと言う事であり、又、別の比喩ではいくらお金を使っても元金である貯金が全く減らないのと同様な、つまり本考案本体が外力に依って破壊されない限り半永久的にγ線が発生し続けると言う事です。繰り返しますがγ線は物体では無いが実体であると言う事です。本考案だけに限っては質量とエネルギーとの等価理論は成立しないと言う事です。質量はいつ迄経っても一定量で有りエネルギー（γ線−ガンマ線）はいつ迄経っても放射又は放出し続けるからです。
前記（人工的な）と言う言語と前記（不安定な）と言う言語とは、この世の中の一般に言われる所の（自然現象）に対する（不・自然現象）と言う言語の意味を含んでいます。
実願２０１３−００７４２８は前述の理屈を基礎にして考えた結果の、半導体に対して人工的に製造されたγ線（ガンマ線）を照射して（光電効果）を発生させ長期間に及んで無燃料で電流を流そうとする意図の発電機の内の新しい電源部分としての考案である。
【先行技術文献】
【０００３】  実願２０１３−００７４２８号（平成２６年登録番号−３１９０８４０号）
【考案の概要】
【考案が解決しようとする課題】
【０００４】  平２６年登録番号−３１９０８４０号においてはγ線（ガンマ線）を長期間発生できる事であるが、しかし前記γ線（ガンマ線）を半導体に照射して光電効果に依って発電し電流を流そうとしてもγ線の透過力及びそれを原因とする電圧が強過ぎて前記半導体を突き抜けてしまい危険である事が産業上利用する上での障害であった、さらに溶媒としては液体水素を用いる事としているが産業上利用する上での利便性において数多の問題が生じる事から本出願の考案においては前記溶媒は常温状態における液体状態での水（Ｈ２Ｏ）を用いた場合についても述べている。本考案は可能な限り安価な材料で安価にγ線を大量に発生させる事で長期間に及んで豊富に安定した電力を安全に得ようとする試みの物体を製造する事を目的としている。
【課題を解決するための手段】
【０００５】  資料に依る、固体の絶縁体の（絶縁破壊電界強度）の限界値を次の通りに列記した。
（実例）としては後述の▲１▼、▲２▼、▲３▼、▲４▼、等々が挙げられる。
▲１▼石英ガラス→２万〜４万電子ボルト
▲２▼軟質塩化ビニール→１万〜３万電子ボルト
▲３▼エポキシ樹脂（接着剤用）→１万６０００〜２万２０００電子ボルト
▲４▼天然ゴム→２万〜３万電子ボルト
γ線は１量子当たり最低でも１０万電子ボルト、最高で１億電子ボルトにも達するのでアモルファス（非晶質固体）の絶縁体に対してたった１量子のγ線を照射しただけでも「絶縁破壊」現象が容易に出現する。
今日、現在の科学技術水準でならば人間の肉眼で肉厚と認識できる程の例えば直径１ｍ，厚み１０ｃｍ程のアモルファス（非晶質固体）の絶縁体を製造する事は当たり前の様に容易な筈である。前記アモルファスの絶縁体にγ線を照射した後、（コンプトン散乱）現象で運動エネルギーが経時変化として減衰した前記γ線と、それに前記γ線と前記アモルファス絶縁体中の原子核群との弾性衝突に依って弾き飛ばされた電子群とは前記アモルファス絶縁体内部の狭い限られた小さな範囲内の一部分において、まとまって偏在する事でγ線の場合は前記アモルファスの絶縁体中を突き抜け出たりせず又、前記弾き飛ばされた電子群は広範囲に分散したり飛散する事等の自由な運動は抑制される。
前述の事柄等を総合するとγ線を肉厚なアモルファス絶縁体に照射すると、すぐに容易に確実に「内部光電効果」現象が起こる事が原因して「絶縁破壊現象」が発現する。その直後に発生する「光起電力効果」現象は顕著である。
【考案の効果】
【０００６】  太陽光発電のソーラーパネルの様な広い面積を必要とせず、せいぜい１０ｍ３程の空間が在ればかなりの大出力の電力が得られ、その簡単で単純な構造の人工物体であるがゆえに技術力が許す限り本考案、本体の大きさはその使用目的に応じて適宜に小さくも大きくも自由に変化させられる。【０００７】  アモルファス（非晶質固体）の絶縁体として弾力性の有る〈天然ゴム〉を適用しロボットの動力源である電源部分として使用した場合には、その柔軟な前記弾力性が耐衝撃性において極めて有効である。
例えば鉱物資源の堀削工事において必要な削岩機の使用時における強度の振動等に対しても本考案である前記電源部分である〈天然ゴム〉には皆無と言って良い程ひび割れや亀裂が生じる等といった経時変化である劣化現象が生じない。【０００８】  γ線（ガンマ線）は１量子当たり最低でも出力が１０万電子ボルトも発生するので溶媒に対する溶質の比率を非常に小さく［つまり溶質であるプルトニウム２３９の微細粒子の濃度を非常に薄めた、水（Ｈ２Ｏ）を溶媒として対応させた放射能強度の弱い放射性の水溶液に］しても産業上利用する上での充分な電力を得られる可能性は高い。溶質である放射性物質の濃度が薄ければ薄い程、それに放射能効果が弱ければ弱い程本考案の固体の絶縁体内壁部分の経時変化としての劣化現象が抑制される。【０００９】  図面（８）の図１２では水（Ｈ２Ｏ）を溶媒として用いた場合の前記水（Ｈ２Ｏ）中の水素原子核１個と溶質であるプルトニウム２３９中の前記不安定な５１個の中性子群中の１個とが相方相互に〈放射性捕獲現象〉を発現しながらγ線（ガンマ線）１７を発生している図示
0003202929.tif 000003
する。
0003202929.tif 000004
る、その一個は一辺が百万分の１ｍｍの立方体の微細粒子に形成されたと仮定し前記プル
0003202929.tif 000005
９の原子核達１００個分が相互に結合し合った一塊の１個として想定し、そう仮定する。
0003202929.tif 000006
び離脱し易い状態で前記プルトニウム２３９と言う名称の物体の現況を辛うじて保って形成している。
0003202929.tif 000007
離、及び離脱後、前記溶媒中を自由に遊泳運動をしている中性子は何個有るか？と言うと１００京個の１００倍の１垓個に５１倍を掛けた５１垓個と言う計算に成るのでそう仮定する。
図面（８）の図１２は酸素原子核２３に中間子１５を介して結合している水素原子核の陽子１４と前記遊泳して接近して来た自由に運動している中性子１３ａとが同一直線（破線２２）上の反対方向から相方が相互に同時に正面衝突している場面を想定した図示である。現実には水（Ｈ２Ｏ）の分子相互間の〈ブラウン運動〉の影響で前記正面衝突はあり得ない事ではあろうが図１２内においては前記正面衝突に近い現象をまるで正面衝突が現実に起こったかの様に図示している。図１２内においては説明上において前記正面衝突が現実に起こったと仮定している。
前記正面衝突時において中性子１３ａは酸素原子核２３の慣性力［ちなみにニュートンの運動の第一法則である「慣性の法則」に依れば、或る物体の運動量が一定であれば前記物体の質量の増大に正比例して慣性力は増大する。例えば内部摩擦力（静止摩擦力やころがり摩擦力等）は増大し、又逆に運動速度は反比例して減少するので遅く成ると言う事であり、常温中での液体状態の水（Ｈ２Ｏ）や液化状態の元素の集合体（例えば液体水素）の〈ブラウン運動〉の運動量は常時一定であり前記或る物体の質量の変化に対応してその運動速度（反比例）と内部摩擦力（正比例）とは共に変化すると言う事ではあるまいか。という事は水素原子核１個を１Ｋｇの鉄球として比喩すれば酸素原子核（水素原子核１個分の質量の約１６倍である）を１６Ｋｇの鉄球として比喩できるので、〈０００４〉における前記溶媒を液体水素から水（Ｈ２Ｏ）に換えた場合では酸素原子核の慣性力が水素原子核よりも１６倍も増大した事に依り内部摩擦力である、ころがり摩擦力も正比例して増大するので前記不安定な５１個の中性子群はプルトニウム２３９本体から分離し易くなり前記離脱直後には経時変化として前記放射性水溶液中を個、個それぞれ相互に個別に単独で自由に酸素原子核の遅い〈ブラウン運動〉と連動して低速度で遊泳して行く事に成る。
0003202929.tif 000008
続けている状況である。］が大きい事もあって「ニュートンの運動の第３法則」である（作用、反作用の法則）に依って運動速度の２乗倍で運動エネルギーを失い、その後図１２に図示されていない他の水（Ｈ２Ｏ）の分子群の〈ブラウン運動〉に依って転がりながら押され矢印１８が示した弧形の矢印の形態に従ってゴロリ、と回転しながら矢印２０の位置まで移動する。中間子１５はその球面である外壁面の曲面が空間中に露出しているため、ほとんど運動エネルギーを失って低速度で転がって来た中性子１３ａ、すなわち中性子１３と接触するので「捕獲断面積の１／ν法則」と中間子１５の万有引力に酷似したクーロン力（電磁力）の百倍程の吸引力である核力の法則との２つの法則が相乗効果をもたらし〈捕獲現象〉が発生すると同時に宇宙空間内である自然界には元々存在しなかった非、自然現象が発現、及び出現した事で中性子１３はγ線（ガンマ線）１７を放出、又は放射して元の自然だった頃の過去の形状、形態に戻ろうと中性子１３は中性子１３自身を自ら消滅、あるいは消去させようと作用する。前記作用とは放射能の事である。
水という液体形態の組成の内の約９割が酸素原子核という事であるので残りの一割が水素
0003202929.tif 000009
素原子核と結合し合っているのかは分からないが（酸素原子核の個数の２倍である。）独立した単一体で自由に運動できる中性子１個の寿命の約１５分間以内に前記水素原子核
0003202929.tif 000010
捕獲〉し合う確率の可能性は前述の記載を俯瞰し総合して分析すれば相当に高い筈だと思います。
余談ですが本考案を製造するためのプルトニウム２３９にナノテクノロジイに依る微細粒子加工の施工時及び放射性水溶液を形成しようとする作業の際には前記プルトニウム２３９の猛毒性を考慮すればその作業員は人間以外のロボット（毒物に対して強いし又、呼吸をしない。）である事、それにその作業室は外界と隔絶された密室である事、それに前記作業室内は真空状態に保ちさらに前記放射性の微細粒子群をできるだけ静かに撹拌する等の配慮は必要だと思います。前記〈静かに撹拌〉すれば放射性水溶液の形成時である最初からすでに低速度の中性子群を得られる。
〈考案の効果〉についてのその他は平２６年登録番号−３１９０８４０号，公報の「考案の効果」を参照。明細書記載中での放射性水溶液は全て図１中の矢印３で示した放射性水溶液３の事です。前記溶媒に対応する溶質はプルトニウム２３９の微細粒子群の事です。
【図面の簡単な説明】
【００１０】
【図１】はアモルファス（非晶質固体）の絶縁体で製造された円柱形の物体の平面図であり前記登録番号３１９０８４０号，公報の原理を基礎にして応用した本考案の発電機の新しい電源部分の機構を構成する部品の内の一部分である、その１個を表現した図示である。
【図２】は図１の立面図である。
【図３】は図１と同一の物体として仮定する。
【図４】は図３の平面図である。
【図５】は図１と図５とが相方相互に合体した１個の物体である。
【図６】は図３の立面図であり断面図でもある。
【図７】は図６の拡大図である。
【図８】は図７の立体図面である。
【図９】は単独で自由に運動している１個の中性子である。
【図１０】は水素原子核の構成形態の図示である。
【図１１】は水素原子核と１個の中性子とが放射性捕獲現象を起こしγ線を発生している状況の図示である。
【図１２】は水（Ｈ２Ｏ）中の水素原子核と中性子の１個とが放射性捕獲現象を起こしγ線を発生している状況の図示である。
【考案を実施するための形態】
【００１１】      図面（４）の図７は図面（５）の図８である立体図面が表現するところの円柱形の物体の断面図であり２枚の円盤、図面（１）の矢印１に示した円盤１と図面（２）の矢印４で示した円盤４とが接着剤（図面１の矢印２）に依って接合され１個の円柱形に形成された物体の断面図と言う事で図面（３）の図５及び図６中の矢印７が示す放射性水溶液７が前記図７中において〈放射性捕獲現象〉を発現しγ線（矢印１０で示した）を発生し放出した事で発現した「内部光電効果」に依り本考案本体の材料であるアモルファス（非晶質固体）の〈絶縁体〉内部においてγ線（矢印１０）と前記「内部光電効果」に依る素粒子群との弾性衝突後の反跳電子群とが限られた狭い範囲の一部分（矢印９で示した破線の円形部分）に偏在する事に加えて前記（γ線矢印１０）の高圧な電圧のせいで「絶縁破壊現象」が引き起こされ、さらにその直後の顕著な「光起電力効果」に依って電流を流そうとする直前の状況の形態を図示して表現した物である。
なお前記アモルファス（非晶質固体）の〈絶縁体〉は無垢の一塊の固体である。
【符号の説明】
【００１２】      １、アモルファス（非晶質固体）の〈絶縁体〉で形成された円柱形の円盤の平面図。直径１ｍ、厚み１０ｃｍとして仮定している。
２、接着剤（経時変化として固化した時点から〈絶縁体〉という物理的性質を保持する事に成る。）
３  水（Ｈ２Ｏ）とプルトニウム２３９の微細粒子群とが混合された〈放射性水溶液３〉前記微細粒子群とは、ナノテクノロジイに依って微細粒子加工を施工された微細な粒子群の事です。図１の２は小さな円形状の水滴（Ｈ２Ｏ）、一滴内に前記微細粒子群が多数点在している様子の図示。
４、図１の２と３を除去した残りの円柱形の円盤と同一の物体として仮定する。
５、図１と図２とを接着剤２を介して接合させ合体させて１個の円柱形の物体を形成した時点において前記２枚の円盤１と円盤４との狭間において形成された接着剤層。
６  物体が何も存在しない空間部分。
７  図１の〈放射性水溶液３〉が図５の様に前記合体された２つの円盤内部の狭間で前記２つの円盤の２方向からの圧力に依り押し潰され放射性水溶液３の面積はほぼ同心円形状に似た形状で拡大され液体の特性である毛細管現象が限界まで達した後に又、液体の特性である表面張力が作用した事の結果、すなわち放射性水溶液３の図５及び図６で図示した様な前記２つの円盤内部の定位置で停留しながら密封状態のままで、しかも一定の形状を維持し続けている事の図示。
８  アモルファス（非晶質固体）の絶縁体の図５の平面図に対する立面図で断面図でもある、その無垢な前記断面部分を表現した図示。
９  γ線や前記γ線と素粒子群との弾性衝突後の反跳電子群が絶縁体内部の限られた範囲の狭い小部分に偏在している様子を表現した図示（小さな円形の破線。）前記図示においては「内部光電効果」が発現している最中であるが、この直後に「絶縁破壊現象」さらに続いて「光起電力効果」が発生する事に依って電流が流れる。
１０  中性子の陽子、又は中間子に依る〈放射性捕獲〉現象後に出現したγ線（ガンマ線）。
１１  矢印Ａと矢印Ｂとの共通の延長戦。２枚の円盤１と円盤４との厚みの合計で２０ｃｍと仮定した表現の図示。
１２  単独で自由に曲進運動（蛇行）をしている１個の中性子１３の運動の軌道の軌跡の表現の図示。
１３  １個の中性子。
１４  水素原子核中の１個の陽子。
１５  水素原子核中の１個の中間子。
１６  水素原子核中の１個の中性子。
１７  放射性捕獲現象に依って出現し放出又は放射しているγ線（ガンマ線）
１３ａ  １個の陽子１４と正面衝突をした時の過去の形態の中性子の図示。
１８  ゴロリ、と回転する様子の図示。
１９  過去の中性子１３ａが前記正面衝突をした時点から以前の中性子１３ａの直進運動として想定した運動の方向を示した矢印。
２０  中性子１３ａが過去、前記正面衝突後に図１２中に図示されていない水（Ｈ２Ｏ）の分子群か又はプルトニウム２３９中の不安定な５１垓個とされている中性子群の内の１個の中性子によって押され矢印１８に示した弧形の矢印の方向にゴロリ、と回転しながら移動して行く様子の図示。
２１  ２３の酸素原子核１個と１５ａの中間子と１４の水素原子核中の陽子との結合体である水（Ｈ２Ｏ）の分子の前記正面衝突時、以前の直進運動として想定しつつ、そう仮定した前記正面衝突を行う原因となった運動の方向を示した矢印。
２２  矢印１９と矢印２１との共通の延長線であることを破線で図示。
２３  酸素原子核の大きさの雰囲気だけを表現した酸素原子核として仮定した図示。現実の実際の形状及び形態は前記図示とは異なっている筈である。
（一般的技術水準を示す参考文献）
0003202929.tif 000011
世界大百科事典      発行所―――平凡社
【図１】
0003202929.tif 000012
【図２】
0003202929.tif 000013
【図３】
0003202929.tif 000014
【図４】
0003202929.tif 000015
【図５】
0003202929.tif 000016
【図６】
0003202929.tif 000017
【図７】
0003202929.tif 000018
【図８】
0003202929.tif 000019
【図９】
0003202929.tif 000020
【図１０】
0003202929.tif 000021
【図１１】
0003202929.tif 000022
【図１２】
0003202929.tif 000023